(57)【要約】      （修正有）【課題】外枠体が反ることを抑止し、反ることがあっても格子体から外れにくいラティスを提供する。【解決手段】格子部３を有する格子体２と、格子体の外縁に設けられた枠部４から延出する連結体１０と、連結体に連結された状態で格子体の外縁を囲むように固定される外枠体６と、を備える。連結体は板状をなし、連結体を外枠体に設けた連結凹部５c内に嵌入することにより、外枠体と格子体を互いに固定する。外枠体は、木材又は樹脂を含む材料で形成されている。【選択図】図１
2008050778.tif 000002
【特許請求の範囲】
【請求項１】
格子部を有する格子体と、
前記格子体の外縁から延出する連結体と、
前記連結体に連結された状態で前記格子体の外縁を囲むように固定される外枠体と、を備えること
を特徴とするラティス。
【請求項２】
前記連結体は、前記格子部の外縁に設けられた枠部に嵌入した状態で固定されることを特徴とする請求項１に記載のラティス。
【請求項３】
前記連結体は、前記格子部の外縁に設けられた枠部から延出していることを特徴とする請求項１に記載のラティス。
【請求項４】
前記枠部は前記格子体の外縁全周に渡って設けられ、前記外枠体の全周に渡って前記枠部が嵌入されることを特徴とする請求項２又は請求項３に記載のラティス。
【請求項５】
前記連結体は、樹脂により前記格子体と一体成型されることを特徴とする請求項１、請求項３、又は請求項４に記載のラティス。
【請求項６】
前記連結体を前記外枠体に設けた連結凹部内に嵌入することにより、前記外枠体と前記格子体を互いに固定することを特徴とする請求項１乃至請求項５のうち、いずれか１に記載のラティス。
【請求項７】
前記連結体は、平面形状が多角形で形成されてなる前記格子体の角部分の外縁に配置されていることを特徴とする請求項１乃至請求項６のうち、いずれか１に記載のラティス。
【請求項８】
前記連結体は、前記格子体の外縁全周に渡って配置されていることを特徴とする請求項１乃至請求項７のうち、いずれか１に記載のラティス。
【請求項９】
前記連結体は、板状をなしていることを特徴とする請求項１乃至請求項８のうち、いずれか１に記載のラティス。
【請求項１０】
前記連結体は、突起状をなしていることを特徴とする請求項１乃至請求項８のうち、いずれか１に記載のラティス。
【請求項１１】
前記外枠体は、木材で形成されていることを特徴とする請求項１乃至請求項１０のうち、いずれか１に記載のラティス。
【請求項１２】
前記外枠体は、樹脂を含む材料で形成されていることを特徴とする請求項１乃至請求項１０のうち、いずれか１に記載のラティス。
【発明の詳細な説明】
【技術分野】
【０００１】
本発明は、家庭の庭やベランダで使用されるラティス（フェンス）の構造に関する。
【背景技術】
【０００２】
従来のラティスとして、長板状の複数の樹脂製格子部材を４５度傾斜した状態で互いに直交させて格子体（フェンス部）を構成し、この格子体を囲むように、格子体の外縁に木製の外枠体をネジ止め固定したものがある。
【０００３】
【特許文献１】実用新案登録第３１１８９４７号明細書
【特許文献２】実用新案登録第３１１１９１９号明細書
【特許文献３】実開平３−１１１７６１号公報
【特許文献４】特開平１０−１９５８２３号公報
【発明の開示】
【発明が解決しようとする課題】
【０００４】
しかしながら、上述のラティスにおいては、木製の外枠体が時間の経過とともに乾燥して反ってしまうという問題があった。外枠体が反ってしまうと外観が良くなくなるだけでなく、格子体から一部又は全体が外れてしまうおそれがあった。
【０００５】
このような反りの問題を改善するために、外枠体を樹脂を含む材料で形成することも提案されている。しかしながら、格子体へ固定するために用いるネジを螺入するネジ穴から割れが生じることがあるとともに、木材の優しい風合いや高級感を出すことが難しい。
【０００６】
そこで本発明は、外枠体が反ることを抑止し、反ることがあっても格子体から外れにくいラティスを提供することを目的とする。
【課題を解決するための手段】
【０００７】
上記課題を解決するために、本発明のラティスにおいては、格子部を有する格子体と、格子体の外縁から延出する連結体と、連結体に連結された状態で格子体の外縁を囲むように固定される外枠体と、を備えることを特徴とする。
【０００８】
本発明に係るラティスにおいて、連結体は、格子部の外縁に設けられた枠部に嵌入した状態で固定されることを特徴とする。
【０００９】
本発明に係るラティスにおいて、連結体は、格子部の外縁に設けられた枠部から延出していることを特徴とする。
【００１０】
本発明に係るラティスにおいて、枠部は格子体の外縁全周に渡って設けられ、外枠体の全周に渡って枠部が嵌入されることを特徴とする。
【００１１】
本発明に係るラティスにおいて、連結体は、樹脂により前記格子体と一体成型されることを特徴とする。
【００１２】
本発明に係るラティスにおいて、連結体を外枠体に設けた連結凹部内に嵌入することにより、外枠体と格子体を互いに固定することを特徴とする。
【００１３】
本発明に係るラティスにおいて、連結体は、平面形状が多角形で形成されてなる前記格子体の角部分の外縁に配置されていることを特徴とする。
【００１４】
本発明に係るラティスにおいて、連結体は、格子体の外縁全体に渡って配置されていることを特徴とする。
【００１５】
本発明に係るラティスにおいて、連結体は板状をなしていることを特徴とする。
【００１６】
本発明に係るラティスにおいて、連結体は突起状をなしていることを特徴とする。
【００１７】
本発明に係るラティスにおいて、外枠体は木材で形成されていることを特徴とする。
【００１８】
本発明に係るラティスにおいて、外枠体は樹脂を含む材料で形成されていることを特徴とする。
【発明の効果】
【００１９】
本発明によると、外枠体は、格子体と一体となった連結体に連結された状態で、格子体に固定されるため、外枠体が連結体に支持されて外枠の剛性が向上して反りが生じにくくなり、反りが生じたとしても格子体から外れにくい。また、外枠体を木材で形成することにより、ネジ割れを防ぐことができるとともに、木材の優しい風合いや高級感を出すことができる。さらに、外枠体は、連結体に支持された状態で、格子体にネジ止めされるため組み立てが容易になる。
【発明を実施するための最良の形態】
【００２０】
以下、本発明の実施形態を図面を参照しつつ説明する。
【００２１】
図１は本発明の実施形態に係るラティスの構成を示す分解斜視図である。図１に示すように、本実施形態によるラティス１は、格子体２と、格子体２の外縁（符号なし）から延出するように形成された連結体１０と、連結体１０に連結された状態で格子体２の外縁を囲むように取り付けられる外枠体６と、を備える。
【００２２】
本実施形態に係る格子体２は、格子部３と枠部４とからなる。格子部３は、長板状の複数の樹脂製格子部材を４５度傾斜した状態で互いに直交させて構成したものであって、その全体の平面形状は四角形である。枠部４は、格子部３の外縁全周を囲むような形状となっており、格子部３とともに一体成型して形成することが好ましい。成型に用いる樹脂は適宜採択可能であるが、例えば、軽く且つコストが安い発泡合成樹脂が好適である。このように樹脂で格子体２を構成すると、長期間使用しても反りが生じにくい。また、格子部２は、格子部３のみで構成することもでき、その平面形状は四角形に限定されず、例えば多角形、円形とすることができる。
【００２３】
連結体１０は、枠部４の外縁から、すなわち格子体２の外縁から外方へ延出するように設けられている平面視略Ｌ字状の板状部材である。この連結体１０は、平面形状が四角形枠部４の４つの角部分に沿って配置され、格子体２とともに樹脂を一体形成して形成することが好ましい。枠部４を設けない場合は、格子部３の外縁に連結体１０を設ける。
【００２４】
連結体１０の形状は、ラティス１の仕様などに応じて適宜変更することができ、例えば、図１に示すように外側の角を落とすこともできる。また、板状のほか、格子体２の外縁から外方へ突出する突起状（例えば、柱状、錐体状、半球状）としてもよい。
【００２５】
連結体１０は、図１に示す格子体２（枠部４）の角部分のほか、任意の位置に設けることができる。例えば、図２に示すように、格子体２（枠部４）の外縁全周に渡って連結体１１を配置することもできる。ここで、図２は、本発明の変形例に係る連結体の構成を示す分解斜視図である。
【００２６】
図３は、本発明の変形例に係る連結体の構成を示す分解斜視図である。図３に示すように、連結体１０に代えて、平面視正方形の板状の金属製の連結体１２を用いることもできる。連結体１２を金属で構成することにより、さらに外枠の剛性を向上させ、反りを生じにくくさせることができる。この連結体１２は、枠部４の角部分に凹設した接合凹部４ａに嵌入することによって、格子体２と一体化される。連結体１２には、ネジ９を螺入するためのネジ穴１２ａを設けることが好ましい。また、連結体１２は、格子体２の成型と同時に埋め込み成型することもできる。
【００２７】
外枠体６は、格子体２（枠部４）の上下左右の外縁に取り付けられる４つの外枠部材５を有し、この格子体２を囲繞する。外枠部材５には、枠部４が嵌合して係止する係止溝５ａと、連結体１０が内部に嵌入することにより嵌合する連結凹部５ｃと、が設けられている。連結凹部５ｃは、内部に連結体１０が嵌入できるように、連結体１０に合わせた形状となっており、連結体１０に対応した位置に凹設される。
【００２８】
図１に示すように、外枠部材５の端面は、４５度の斜面５ｂに形成されている。隣接する外枠部材５の斜面５ｂ同士を接触させた状態で、二つのネジ８を互いに直行する方向から外枠部材５に螺入することにより、四角形の外枠体６が形成される。外枠部材５は木材で形成されるため、木材独特の優しい風合いや高級感を出すことができるとともに、螺入されたネジによる割れ（ネジ割れ）を抑止することができる。なお、外枠部材５は、用途などに応じて、樹脂を含む材料で形成してもよい。外枠部材５に用いる樹脂は適宜採択可能であるが、例えば、軽く且つコストが安い発泡合成樹脂が好適であり、格子体２と同じ樹脂であればラティスの外観に統一性がもたらされて好ましい。
【００２９】
図４は、格子体と外枠体の組み立て状態を示す図１のＩＶ部分の拡大図、図５は、格子体と外枠体が組み上がった状態を示す図４に対応する図である。図４及び図５に示すように、連結体１０にネジ９を、隣接する二つの外枠部材５にネジ８を、それぞれ螺合することによって、格子体２と外枠体６を互いに固定する。
【００３０】
ラティス１の組み立てについて、具体的に説明すると、まず、隣接させる二つの外枠部材５の係止溝５ａ内に枠部４を、連結凹部５ｃ内に連結体１０を、それぞれ嵌入する。つづいて、嵌入された連結体１０に対して、その板厚方向に沿って、外枠部材５を介して二つのネジ９を螺合する。次に、連結体１０の面方向に沿って、鉛直方向（図４の上下方向）に延びる外枠部材５から、他方の外枠部材５（水平方向に延びる外枠部材）へ、また、水平方向に延びる外枠部材５から鉛直方向に延びる外枠部材５へ、ネジ８をそれぞれ螺合する。二つのネジ８は、係止溝５ａ、連結凹部５ｃを避け、かつ、互いに交差しない位置に螺合される。なお、図４、図５は、図１のＩＶ部分のみを示すが、これ以外の部分における格子体２と外枠体６の固定も同様に行う。
【００３１】
上述のように、連結凹部５ｃ内に樹脂製の連結体１０を嵌入した状態で、外枠体６が格子体２に固定されるため、外枠体６が連結体１０に支持されて外枠体６の剛性が向上し、外枠部材５に反りが生じにくくなり、反りが生じたとしても格子体２から外れにくくなる。また、連結体１０に支持された状態で、外枠体６を格子体２にネジ止めするためラティス１の組み立てが容易になる。さらに、格子体２の外縁全周に渡って設けた枠部４を、外枠体６の全周に渡って嵌入するため、外枠体６の剛性が向上するとともに、格子体２と外枠体６の一体感が向上する。
【００３２】
なお、本実施形態の格子部３は格子部材を４５度傾斜させて互いに直交させた構成であったが、これに代えて、傾斜角度をほかの角度（例えば０度と９０度）の組み合わせとした格子としてもよい。また、格子形状に代えて、ブラインド状や板状であってもよい。
【００３３】
本発明について上記実施形態を参照しつつ説明したが、本発明は上記実施形態に限定されるものではなく、改良の目的または本発明の思想の範囲内において改良または変更が可能である。
【図面の簡単な説明】
【００３４】
【図１】本発明の実施形態に係るラティスの構成を示す分解斜視図である。
【図２】本発明の変形例に係る連結体の構成を示す分解斜視図である。
【図３】本発明の変形例に係る連結体の構成を示す分解斜視図である。
【図４】本発明の実施形態に係る格子体と外枠体の組み立て状態を示す図１のＩＶ部分の拡大図である。
【図５】本発明の実施形態に係る格子体と外枠体が組み上がった状態を示す図４に対応する図である。
【符号の説明】
【００３５】
１    ラティス
２    格子体
３    格子部
４    枠部
５    外枠部材
５ａ  係止溝
５ｃ  連結凹部
６    外枠体
８    ネジ
９    ネジ
１０  連結体
１１  連結体
１２  連結体
【図１】
2008050778.tif 000003
【図２】
2008050778.tif 000004
【図３】
2008050778.tif 000005
【図４】
2008050778.tif 000006
【図５】
2008050778.tif 000007